(57)【要約】      （修正有）【課題】人体に固縛した安全帯（命綱）におけるフックの着脱操作を行わずに通過できる、作業者の安全を十分に確保する親綱保持具を提供する。【解決手段】親綱保持具１は、親綱保持具１を足場の支柱パイプ２ａに着脱可能に取り付けるための取付部１ａと、取付部１ａに固着され、親綱保持具１を足場の支柱パイプ２ａに取り付けたときに、少なくとも上方が開放された形状となるように配置される親綱保持部１ｂと、を備えている。取付部１ａとしては、スチール製の鋼管用クランプが用いられている。親綱保持部１ｂは、略Ｌ字状に形成された部材からなり、その基端が取付部１ａの側面に固着されている。【選択図】図７
0003231176.tif 000002
【実用新案登録請求の範囲】
【請求項１】
足場の所定箇所間に張設される親綱をその中間において保持する親綱保持具であって、
前記親綱保持具を前記足場に着脱可能に取り付けるための取付部と、
前記取付部に固着され、前記親綱保持具を前記足場に取り付けたときに、少なくとも上方が開放された形状となるように配置される親綱保持部と、を備えたことを特徴とする親綱保持具。
【請求項２】
前記親綱保持部は、略Ｌ字状に形成された部材を備え、前記略Ｌ字状に形成された部材の基端部が前記取付部に固着されている、請求項１に記載の親綱保持具。
【請求項３】
前記略Ｌ字状に形成された部材の少なくとも鉛直部分の表面が樹脂で覆われている、請求項２に記載の親綱保持具。
【請求項４】
前記略Ｌ字状に形成された部材の鉛直部分に、樹脂製の２つの円錐台部材が、面積の小さい方の面を互いに合わせて、上下方向に重ねた状態で挿通固定されている、請求項２又は３に記載の親綱保持具。
【請求項５】
前記取付部がクランプである、請求項１〜４のいずれか１項に記載の親綱中間支持具。
【考案の詳細な説明】
【技術分野】
【０００１】
本考案は、枠組足場やくさび緊結式足場などの足場の所定箇所間に張設される親綱をその中間において保持するために使用される親綱保持具に関する。
【背景技術】
【０００２】
建設工事現場等における高所作業では、足場を設け、横方向に張設した親綱に命綱である安全帯のフックを繋留して作業するのが一般的である。そして、このような親綱は、一般的に、所定間隔で親綱保持具により保持されている（例えば、特許文献１の図７（ｂ）等を参照）。
特許文献１に開示された親綱保持具（親綱中間支持具）は、足場の所定箇所間に張設される親綱をその中間において保持（支持）する親綱保持具であって、当該親綱保持具を前記足場に着脱可能に取り付けるための取付部と、前記取付部に固着されるとともに前記親綱を挿通させて当該親綱を保持する親綱保持部（親綱係合部）と、を備え、前記親綱保持部が、前記親綱の張設方向に延びる螺旋状に形成されていることを特徴としている（特許文献１の請求項１及び図２等を参照）。
【先行技術文献】
【特許文献】
【０００３】
【特許文献１】特開２００７−１３８５０９号公報
【考案の概要】
【考案が解決しようとする課題】
【０００４】
上記のように、特許文献１に開示された親綱保持具（親綱中間支持具）では、親綱保持部（親綱係合部）が、親綱の張設方向に延びる螺旋状に形成されている。このため、フックなどを利用して安全帯（命綱）を親綱に繋留し、このフックを親綱に沿って摺動させることにより作業者の横方向への移動を可能にしている場合には、所定間隔ごとに設けられた親綱保持具が障害となる。すなわち、摺動によってフックが親綱保持具の設けられている箇所に達したとき、そのままではその親綱保持具が設けられている箇所を通過することができず、一旦フックを親綱から離脱させなければならない。
しかし、このように、親綱保持具の設けられている箇所を通過するごとに、安全帯（命綱）を親綱から離脱することになると、作業者は極めて危険な状態となる。
【０００５】
本考案は、従来技術における前記課題を解決するためになされたものであり、人体に固縛した安全帯（命綱）におけるフックの着脱操作を行わずに通過できるようにした親綱保持具を提供し、作業者の安全を十分に確保することを目的とする。
【課題を解決するための手段】
【０００６】
前記目的を達成するため、本考案に係る親綱保持具の構成は、
（１）足場の所定箇所間に張設される親綱をその中間において保持する親綱保持具であって、
前記親綱保持具を前記足場に着脱可能に取り付けるための取付部と、
前記取付部に固着され、前記親綱保持具を前記足場に取り付けたときに、少なくとも上方が開放された形状となるように配置される親綱保持部と、を備えたことを特徴とする。
【０００７】
本考案の親綱保持具の上記（１）の構成によれば、親綱保持具を足場に取り付けたときに、親綱保持部が、少なくとも上方が開放された形状となるように配置される。
ここで、近年、安全帯は、腰ベルト型ではなく、フルハーネス型が推奨されている。フルハーネス型の安全帯は、着用した者（作業者）の背中から命綱が延びている。このため、親綱も、作業者の腰より高い位置に張られる。このような場合、従来の親綱保持具のように、上方が塞がれていると、安全帯（命綱）のフックをかわすことが、非常に煩わしい。
本考案の親綱保持部は、少なくとも上方が開放された形状であるので、フックを利用して安全帯（命綱）を親綱に繋留し、このフックを親綱に沿って摺動させることにより作業者の横方向への移動を可能にしている場合に、フックをかわし易くなる。
したがって、本考案の親綱保持具の上記（１）の構成によれば、人体に固縛した安全帯（命綱）におけるフックの着脱操作を行わずに通過できるようにした親綱保持具を提供することができ、その結果、作業者の安全を十分に確保することが可能となる。
【０００８】
本考案の親綱保持具の上記（１）の構成においては、以下の（２）〜（５）のような構成にすることが好ましい。
【０００９】
（２）前記親綱保持部は、略Ｌ字状に形成された部材を備え、前記略Ｌ字状に形成された部材の基端部が前記取付部に固着されている。
【００１０】
上記（２）の好ましい構成によれば、親綱保持具を足場に取り付けたときに、親綱保持部を、少なくとも上方が開放された形状となるように配置することができる。
【００１１】
（３）上記（２）の構成において、前記略Ｌ字状に形成された部材の少なくとも鉛直部分の表面が樹脂で覆われている。
【００１２】
上記（３）の好ましい構成によれば、親綱の滑りが良好となるため、親綱保持部に保持させた状態で、親綱を張設する場合の、張設作業がやり易くなる。
【００１３】
（４）上記（２）又は（３）の構成において、前記略Ｌ字状に形成された部材の鉛直部分に、樹脂製の２つの円錐台部材が、面積の小さい方の面を互いに合わせて、上下方向に重ねた状態で挿通固定されている。
【００１４】
上記（４）の好ましい構成によれば、略Ｌ字状に形成された部材の鉛直部分の表面が樹脂で覆われることとなり、親綱の滑りが良好となる。また、略Ｌ字状に形成された部材の鉛直部分は、中ほどで径が小さく、上下方向に行くにしたがって径が大きくなるため、親綱がしっかりと保持され、外れにくくなって、作業者の安全が十分に確保される。
【００１５】
（５）前記取付部がクランプである。
【００１６】
上記（５）の好ましい構成によれば、親綱保持具を、足場の支柱パイプ（建地）等に着脱可能に簡単に取り付けることが可能となる。
【考案の効果】
【００１７】
本考案によれば、人体に固縛した安全帯（命綱）におけるフックの着脱操作を行わずに通過できるようにした親綱保持具を提供することができ、その結果、作業者の安全を十分に確保することが可能となる。
【図面の簡単な説明】
【００１８】
【図１】本考案の一実施形態における親綱保持具を、足場に装着した状態を示す斜視図である。
【図２】本考案の一実施形態における親綱保持具を示す斜視図である。
【図３】本考案の一実施形態における親綱保持具を示す平面図（上面図）である。
【図４】本考案の一実施形態における親綱保持具を示す正面図である。
【図５】本考案の一実施形態における親綱保持具を、足場の支柱パイプ（建地）に取り付けた状態を示す斜視図である。
【図６】本考案の一実施形態における親綱保持具の使用状況を示す斜視図である。
【図７】本考案の一実施形態における親綱保持具を、足場の支柱パイプ（建地）に取り付けた状態での当該親綱保持具の使用状況を示す斜視図である。
【考案を実施するための形態】
【００１９】
以下、好適な実施形態を用いて本考案をさらに具体的に説明する。但し、下記の実施形態は本考案を具現化した例に過ぎず、本考案はこれに限定されるものではない。
【００２０】
［足場の全体構成］
まず、本考案の一実施形態における親綱保持具が装着される足場の全体構成について、図１を参照しながら説明する。
【００２１】
図１は本考案の一実施形態における親綱保持具を、足場に装着した状態を示す斜視図である。
【００２２】
図１に示すように、本実施形態の親綱保持具１は、くさび緊結式足場（以下、単に「足場」という）２に装着される。
足場２においては、複数の円筒状をなす合金製の支柱パイプ（建地）２ａが所定間隔を置いて立設され、各支柱パイプ２ａは、下端のジャッキ（図示せず）によって高さ調整可能に支持されている。各支柱パイプ２ａの外周面には、上下に所定間隔を置いて、受け金具としての平面コの字状をなす緊結ホルダ２ｂが溶接固定されている。ここで、各緊結ホルダ２ｂは、１８０度対向して同じ高さに配置される一対の第１緊結ホルダと、両第１緊結ホルダに対して軸方向にずれた位置でかつ周方向に９０度ずれた位置に１８０度対向して同じ高さに配置される一対の第２緊結ホルダと、から構成されている。
【００２３】
各支柱パイプ２ａには、足場２の横方向と直交する外方に突出した状態で合金製のブラケット２ｃが支持されている。より具体的には、ブラケット２ｃは、その端部に接合された支持金具２ｄが支柱パイプ２ａの緊結ホルダ２ｂに嵌着されることにより、支柱パイプ２ａに支持される。そして、隣り合うブラケット２ｃ間には、長方形の外観をなす鋼板からなる踏板２ｅが配置されている。ここで、踏板２ｅは、その長手方向の両端部のフック２ｆをブラケット２ｃに掛止することにより、隣り合うブラケット２ｃ間に配置される。
また、隣り合う支柱パイプ２ａ間には、踏板２ｅよりも上方に位置して、合金製の手摺部材２ｇが架け渡されている。より具体的には、手摺部材２ｇは、その両端部に接合された支持金具２ｈが支柱パイプ２ａの緊結ホルダ２ｂに嵌着されることにより、隣り合う支柱パイプ２ａ間に架け渡される。
以上のようにして、建築用の足場２が組み立てられている。
【００２４】
複数の支柱パイプ（建地）２ａには、一つ置きに、手摺部材２ｇよりも上方に位置して親綱保持具１が取り付けられている。そして、この親綱保持具１により、足場２の所定箇所間に張設される親綱３をその中間において保持することができるようにされている（図６を参照）。
【００２５】
［親綱保持具の構成］
次に、本考案の一実施形態における親綱保持具の具体的構成について、図２〜図５を参照しながら説明する。
【００２６】
図２は本考案の一実施形態における親綱保持具を示す斜視図、図３は当該親綱保持具を示す平面図（上面図）、図４は当該親綱保持具を示す正面図、図５は当該親綱保持具を、足場の支柱パイプ（建地）に取り付けた状態を示す斜視図である。
【００２７】
図２〜図５に示すように、本実施形態の親綱保持具１は、当該親綱保持具１を足場２（図１を参照）の支柱パイプ２ａに着脱可能に取り付けるための取付部１ａと、取付部１ａに固着され、親綱保持具１を足場２の支柱パイプ２ａに取り付けたときに、少なくとも上方が開放された形状となるように配置される親綱保持部１ｂと、を備えている。
かかる構成の親綱保持具１によれば、親綱保持具１を足場２の支柱パイプ２ａに取り付けたときに、親綱保持部１ｂが、少なくとも上方が開放された形状となるように配置される。
このため、フック４ａを利用してフルハーネス型の安全帯（命綱）４を親綱３に繋留し、このフック４ａを親綱３に沿って摺動させることにより作業者の横方向への移動を可能にしている場合に（図７の矢印Ａを参照）、フック４ａをかわし易くなる。
したがって、かかる構成の親綱保持具１によれば、人体に固縛した安全帯（命綱）４におけるフック４ａの着脱操作を行わずに通過できるようにした親綱保持具を提供することができ、その結果、作業者の安全を十分に確保することが可能となる。
【００２８】
以下、さらに詳細に説明する。
本実施形態の親綱保持具１においては、取付部１ａとしてスチール製の鋼管用クランプが用いられている。
より具体的には、取付部１ａは、支柱パイプ（建地）２ａの軸線方向と平行に延びる回転軸部１ｃによってヒンジ結合されたクランプ本体１ｄ及びクランプ蓋１ｅを主要構成部材としている。これらクランプ本体１ｄ及びクランプ蓋１ｅは、内周が支柱パイプ２ａの略外周形状に沿うように形成されている。クランプ本体１ｄの、回転軸部１ｃと反対側の端部には、締付け用ボルト１ｆの基端部が回転軸部１ｃと略平行なボルト回転軸部１ｇによって軸支されている。また、クランプ蓋１ｅの、回転軸部１ｃと反対側の端部には、締付け用ボルト１ｆが挿通可能な切欠き部１ｈが形成されている。そして、クランプ本体１ｄ及びクランプ蓋１ｅによって支柱パイプ２ａを挟み込み、締付け用ボルト１ｆを、クランプ蓋１ｅの切欠き部１ｈに挿通させた後、締付け用ボルト１ｆにナット１ｉを螺合することにより、親綱保持具１を支柱パイプ２ａに着脱可能に取り付けることができるようにされている。
このように、取付部１ａとして鋼管用クランプを用いることにより、親綱保持具１を、足場２の支柱パイプ（建地）２ａに着脱可能に簡単に取り付けることが可能となる。
【００２９】
本実施形態の親綱保持具１において、親綱保持部１ｂは、略Ｌ字状に形成された部材を備え、当該略Ｌ字状に形成された部材の基端部が取付部１ａの側面に固着されている。かかる構成によれば、親綱保持具１を足場２の支柱パイプ２ａに取り付けたときに、親綱保持部１ｂを、少なくとも上方が開放された形状となるように配置することができる。
この場合、略Ｌ字状に形成された部材の少なくとも鉛直部分の表面は、樹脂で覆われていることが好ましい。かかる好ましい構成によれば、親綱３（図６，図７を参照）の滑りが良好となるため、親綱保持部１ｂに保持させた状態で、親綱３を張設する場合の、張設作業がやり易くなる。
【００３０】
より具体的には、親綱保持部１ｂは、両端部に雄ネジが螺刻された略Ｌ字状のスチール製のボルト部材１ｊと、ボルト部材１ｊの鉛直部分に挿通固定される樹脂製の２つの円錐台部材１ｋ，１ｌと、を備えている。そして、ボルト部材１ｊの基端部が、取付部１ａのクランプ本体１ｄの側面に固着されている。かかる構成によれば、略Ｌ字状に形成されたボルト部材１ｊの鉛直部分の表面が樹脂で覆われることとなり、親綱３の滑りが良好となる。
この場合、ボルト部材１ｊの基端部は、以下のようにして、クランプ本体１ｄの側面に固着される。すなわち、まず、ボルト部材１ｊの基端部にナット１ｍを螺着した後、ボルト部材１ｊの基端部を、クランプ本体１ｄの側面に穿設された孔（図示せず）に外側から挿入する。次いで、ボルト部材１ｊの基端部にクランプ本体１ｄの内側から別のナット（図示せず）を螺着する。これにより、ボルト部材１ｊの基端部がクランプ本体１ｄの側面に固着される。
【００３１】
また、２つの円錐台部材（例えば、Ｐコン等）１ｋ，１ｌは、以下のようにして、ボルト部材１ｊの鉛直部分に挿通固定される。すなわち、まず、ボルト部材１ｊの鉛直部分に円錐台部材１ｋ，１ｌを順に挿通させる。次いで、ボルト部材１ｊの先端部に袋ナット１ｎを螺着する。これにより、２つの円錐台部材１ｋ，１ｌがボルト部材１ｊの鉛直部分に挿通固定される。
なお、図２中、参照符号１ｏは、円錐台部材１ｋの中心軸上に穿設された、ボルト部材１ｊの鉛直部分に挿通するための挿通孔を示している。また、図２中、参照符号１ｐは、円錐台部材１ｌの中心軸上に穿設された、ボルト部材１ｊの鉛直部分に挿通するための挿通孔を示している。また、円錐台部材１ｌの下底（図２等では上面）には、袋ナット１ｎの下部を入れ込むための凹所（図示せず）が設けられている。
【００３２】
２つの円錐台部材１ｋ，１ｌは、面積の小さい方の面（上底）を互いに合わせて、上下方向に重ねた状態で、ボルト部材１ｊの鉛直部分に挿通固定されている。
かかる構成によれば、親綱３を掛ける部分であるボルト部材１ｊの鉛直部分は、中ほどで径が小さく、上下方向に行くにしたがって径が大きくなるため、親綱３がしっかりと保持され、外れにくくなって、作業者の安全が十分に確保される。
【００３３】
［親綱保持具の使用方法］
次に、本考案の一実施形態における親綱保持具の使用方法について、図６，図７をも参照しながら説明する。
【００３４】
図６は本考案の一実施形態における親綱保持具の使用状況を示す斜視図、図７は当該親綱保持具を、足場の支柱パイプ（建地）に取り付けた状態での当該親綱保持具の使用状況を示す斜視図である。
【００３５】
まず、図１，図５に示すように、親綱保持具１の親綱保持部１ｂを、足場２の横方向と直交する外方に向けた状態で、クランプ本体１ｄ及びクランプ蓋１ｅによって支柱パイプ（建地）２ａを挟み込む。そして、締付け用ボルト１ｆを、クランプ蓋１ｅの切欠き部１ｈに挿通させた後、締付け用ボルト１ｆにナット１ｉを螺合することにより、親綱保持具１を支柱パイプ２ａに取り付ける。
【００３６】
次いで、図６，図７に示すように、親綱３を親綱保持部１ｂに保持させた状態で、足場２の所定箇所間に当該親綱３を張設する。この場合、親綱保持部１ｂは、上記のように少なくとも上方が開放された形状となっているため、親綱３を上方から簡単に入れ込むことができる。また、親綱保持部１ｂの鉛直部分の表面が樹脂（円錐台部材１ｋ，１ｌ）で覆われているため、親綱３の滑りが良好となり、親綱保持部１ｂに保持させた状態で、親綱３を張設する場合の、張設作業がやり易くなる。
また、親綱保持部１ｂは、上記のように少なくとも上方が開放された形状となっているため、図７に示すように、フック４ａを利用してフルハーネス型の安全帯（命綱）４を親綱３に繋留し、このフック４ａを親綱３に沿って摺動させることにより作業者の横方向への移動を可能にしている場合に（図７の矢印Ａを参照）、フック４ａをかわし易くなる。したがって、人体に固縛した安全帯（命綱）４におけるフック４ａの着脱操作を行わずに、親綱保持具１が取り付けられた箇所を通過することができるので、作業者の安全を十分に確保することが可能となる。
【００３７】
なお、本実施形態においては、取付部１ａとして鋼管用クランプを用いる場合を例に挙げて説明した。しかし、本考案は必ずしもこのような構成に限定されるものではない。
【００３８】
また、本実施形態においては、親綱保持部１ｂが、略Ｌ字状に形成された部材を備える場合を例に挙げて説明した。しかし、本考案は必ずしもこのような構成に限定されるものではない。本考案の親綱保持具は、当該親綱保持具を足場に取り付けたときに、少なくとも上方が開放された形状となるように配置される親綱保持部を備えていればよい。したがって、親綱保持部は、例えば、略Ｕ字状に形成された部材を備えていてもよい。そして、この場合にも、略Ｌ字状に形成された部材と同様、少なくとも鉛直部分の表面が樹脂で覆われていることが好ましく、鉛直部分に、樹脂製の２つの円錐台部材が、面積の小さい方の面を互いに合わせて、上下方向に重ねた状態で挿通固定されていることが好ましい。
【００３９】
また、本実施形態においては、親綱保持具１が足場２の支柱パイプ（建地）２ａに取り付けられる場合を例に挙げて説明した。しかし、本考案は必ずしもこのような構成に限定されるものではない。本考案の親綱保持具は、足場に取り付けるものであり、例えば、手摺部材２ｇ（図１，図６を参照）等に取り付けるようにしてもよい。この場合、親綱保持部１ｂは、図２の状態から略９０度回転させて固着する必要がある。
【００４０】
また、本実施形態においては、くさび緊結式足場２に装着される親綱保持具１を例に挙げて説明した。しかし、本考案は必ずしもこのような構成に限定されるものではない。親綱保持具１が装着される足場は、例えば、枠組足場等であってもよい。
【符号の説明】
【００４１】
１  親綱保持具
１ａ  取付部
１ｂ  親綱保持部
１ｃ  回転軸部
１ｄ  クランプ本体
１ｅ  クランプ蓋
１ｆ  締付け用ボルト
１ｇ  ボルト回転軸部
１ｈ  切欠き部
１ｉ  ナット
１ｊ  略Ｌ字状のボルト部材
１ｋ，１ｌ  円錐台部材
１ｍ  ナット
１ｎ  袋ナット
１ｏ，１ｐ  挿通孔
２  くさび緊結式足場（足場）
２ａ  支柱パイプ（建地）
２ｂ  緊結ホルダ
２ｃ  ブラケット
２ｄ，２ｈ  支持金具
２ｅ  踏板
２ｆ  フック
２ｇ  手摺部材
３  親綱
４  安全帯（命綱）
４ａ  フック
【図１】
0003231176.tif 000003
【図２】
0003231176.tif 000004
【図３】
0003231176.tif 000005
【図４】
0003231176.tif 000006
【図５】
0003231176.tif 000007
【図６】
0003231176.tif 000008
【図７】
0003231176.tif 000009